【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
第１の画像と第２の画像とを合成し、合成画像を生成する画像合成手段と、
前記第１及び第２の画像の発生プロセスを特定する特定手段と、
前記特定手段により特定された前記第１及び第２の画像の発生プロセスの組み合わせに基づいて、前記合成画像を画像圧縮するための圧縮係数を選択する選択手段と、
前記選択手段により選択された圧縮係数を用いて前記合成画像を画像圧縮する画像圧縮手段と
を備えることを特徴とする画像処理装置。
【請求項２】
前記画像圧縮手段は、前記第１の画像を透かし画像として合成することを特徴とする請求項１に記載の画像処理装置。
【請求項３】
前記選択手段は、前記第１及び第２の画像の発生プロセスの組み合わせ、及び前記第１の画像の透かし率に基づいて、前記圧縮係数を選択することを特徴とする請求項２に記載の画像処理装置。
【請求項４】
第１の画像と第２の画像とを合成し、合成画像を生成する画像合成工程と、
前記第１及び第２の画像の発生プロセスを特定する特定工程と、
前記特定工程において特定された前記第１及び第２の画像の発生プロセスの組み合わせに基づいて、前記合成画像を画像圧縮するための圧縮係数を選択する選択工程と、
前記選択工程において選択された圧縮係数を用いて前記合成画像を画像圧縮する画像圧縮工程と
を備えることを特徴とする画像処理方法。
【請求項５】
請求項４に記載の画像処理方法をコンピュータによって実現させるための制御プログラムを格納した記憶媒体。
【請求項６】
請求項４に記載の画像処理方法をコンピュータによって実現させるための制御プログラム。
【請求項７】
第１の画像と第２の画像とを合成し、合成画像を生成する画像合成手段と、
前記合成される第１および第２の画像がそれぞれ、スキャナに読み込まれることにより生成されたスキャナ画像であるのか、アプリケーションを介して生成され、ページ記述言語で記載されたＰＤＬ画像であるのかを各画像ごとに判別する判別手段と、
前記判別手段により判別された前記合成される第１及び第２の画像の組み合わせに基づいて、前記合成画像を画像圧縮するための圧縮係数を選択する選択手段と、
前記選択手段により選択された圧縮係数を用いて前記合成画像を画像圧縮する画像圧縮手段と
を備えることを特徴とする画像処理装置。
【請求項８】
前記選択手段は、
前記合成される第１及び第２の画像がいずれも前記ＰＤＬ画像でない場合には、前記合成される第１または第２の画像のいずれかがＰＤＬ画像である場合に比べて、より高圧縮な画像圧縮を実現する圧縮係数を選択することを特徴とする請求項７に記載の画像処理装置。
【請求項９】
所定の透かし率を用いて透かし処理し、透かし画像である前記第１の画像を生成する透かし画像生成手段と、
前記所定の透かし率と、予め設定されたしきい値との大小関係を判定する判定手段と、を更に備え、
前記選択手段は、前記判定手段において前記所定の透かし率が前記しきい値よりも小さいと判定された場合には、前記第２の画像を画像圧縮するのに適した圧縮係数を前記合成画像を画像圧縮するための圧縮係数として選択することを特徴とする請求項７に記載の画像処理装置。
【請求項１０】
前記しきい値を設定する設定手段を更に備えることを特徴とする請求項９に記載の画像処理装置。
【請求項１１】
第１の画像と第２の画像とを合成し、合成画像を生成する画像合成手段と、
前記第１の画像を構成する各領域の属性情報及び前記第２の画像を構成する各領域の属性情報とを用いて、各領域ごとに予め設定された該属性情報についての優先順位に基づいて前記合成画像を構成する各領域の属性情報を作成する属性作成手段と、
前記属性作成手段により作成された各領域の属性情報に基づいて、前記合成画像を画像圧縮するための圧縮係数を選択する選択手段と、
前記選択手段により選択された圧縮係数を用いて前記合成画像の各領域を画像圧縮する画像圧縮手段と
を備えることを特徴とする画像処理装置。
【請求項１２】
前記属性情報についての優先順位を設定するための設定手段を更に備えることを特徴とする請求項１１に記載の画像処理装置。
【請求項１３】
第１の画像と第２の画像とを合成し、合成画像を生成する画像合成工程と、
前記合成される第１および第２の画像がそれぞれ、スキャナに読み込まれることにより生成されたスキャナ画像であるのか、アプリケーションを介して生成され、ページ記述言語で記載されたＰＤＬ画像であるのかを各画像ごとに判別する判別工程と、
前記判別工程により判別された前記合成される第１及び第２の画像の組み合わせに基づいて、前記合成画像を画像圧縮するための圧縮係数を選択する選択工程と、
前記選択工程により選択された圧縮係数を用いて前記合成画像を画像圧縮する画像圧縮工程と
を備えることを特徴とする画像処理方法。
【請求項１４】
前記選択工程は、
前記合成される第１及び第２の画像がいずれも前記ＰＤＬ画像でない場合には、前記合成される第１または第２の画像のいずれかがＰＤＬ画像である場合に比べて、より高圧縮な画像圧縮を実現する圧縮係数を選択することを特徴とする請求項１３に記載の画像処理方法。
【請求項１５】
所定の透かし率を用いて透かし処理し、透かし画像である前記第１の画像を生成する透かし画像生成工程と、
前記所定の透かし率と、予め設定されたしきい値との大小関係を判定する判定工程と、を更に備え、
前記選択工程は、前記判定工程において前記所定の透かし率が前記しきい値よりも小さいと判定された場合には、前記第２の画像を画像圧縮するのに適した圧縮係数を前記合成画像を画像圧縮するための圧縮係数として選択することを特徴とする請求項１３に記載の画像処理方法。
【請求項１６】
前記しきい値を設定する設定工程を更に備えることを特徴とする請求項１５に記載の画像処理方法。
【請求項１７】
第１の画像と第２の画像とを合成し、合成画像を生成する画像合成工程と、
前記第１の画像を構成する各領域の属性情報及び前記第２の画像を構成する各領域の属性情報とを用いて、各領域ごとに予め設定された該属性情報についての優先順位に基づいて前記合成画像を構成する各領域の属性情報を作成する属性作成工程と、
前記属性作成工程により作成された各領域の属性情報に基づいて、前記合成画像を画像圧縮するための圧縮係数を選択する選択工程と、
前記選択工程により選択された圧縮係数を用いて前記合成画像の各領域を画像圧縮する画像圧縮工程と
を備えることを特徴とする画像処理方法。
【請求項１８】
前記属性情報についての優先順位を設定するための設定工程を更に備えることを特徴とする請求項１７に記載の画像処理方法。
【請求項１９】
請求項１３乃至１８のいずれか１項に記載の画像処理方法をコンピュータによって実現させるための制御プログラムを格納した記憶媒体。
【請求項２０】
請求項１３乃至１８のいずれか１項に記載の画像処理方法をコンピュータによって実現させるための制御プログラム。
【手続補正２】
【補正対象書類名】明細書
【補正対象項目名】０００９
【補正方法】変更
【補正の内容】
【０００９】
上記の目的を達成するために本発明に係る画像処理装置は以下のような構成を備える。即ち、
第１の画像と第２の画像とを合成し、合成画像を生成する画像合成手段と、
前記第１の画像と第２の画像の発生プロセスを特定する特定手段と、
前記特定手段により特定された前記第１の画像及び第２の画像の発生プロセスの組み合わせに基づいて、前記合成画像を画像圧縮するための圧縮係数を選択する選択手段と、
前記選択手段により選択された圧縮係数を用いて前記合成画像を画像圧縮する画像圧縮手段とを備える。